(57)【要約】【課題】ゲート板の誤動作をなくすためのカバー壁を設ける必要がなく、球戻り防止機構とセンター役物との間の通路幅を十分に確保する。【解決手段】内ガイドレール１の終端位置に球戻り防止機構を設けて遊技領域から案内路へ遊技球Ｐが逆戻りするのを防止する。球戻り防止機構は、内ガイドレール１の終端位置の盤面上に固定され板厚方向に貫通する軸支孔３２が形成された取付基板３と、取付基板３の軸支孔３２に回動自由に支持される軸部５を有し取付基板３上に突出した軸部５の一端部側の外周面にゲート板６が一体形成されたゲート部材４とを備える。軸部５の他端部側は遊技盤１６内に形成された空間部分１８に突出し、その突出部分にゲート板６が案内路１１を閉じた状態となるよう軸部５をその軸芯の周りに付勢する付勢機構７が設けられる。【選択図】図６
2013052081.tif 000002
【特許請求の範囲】
【請求項１】
発射された遊技球を遊技盤の盤面上の遊技領域へ導くための外ガイドレールと、その内側に設けられた内ガードレールとの間に案内路を有し、前記内ガイドレールの終端位置には、前記案内路を開閉するゲート板を有する球戻り防止機構を設けて、遊技領域から案内路へ遊技球が逆戻りするのを防止するようにしたパチンコ遊技機において、
前記球戻り防止機構は、内ガイドレールの終端位置の盤面上に固定され遊技盤の板厚方向に貫通する軸支孔が形成された取付基板と、取付基板の前記軸支孔に回動自由に支持される軸部を有し取付基板上に突出した軸部の一端部側に前記ゲート板が一体形成されたゲート部材とを備えており、前記軸部の他端部側は、遊技盤内に形成された空間部分または遊技盤の背後に突出し、その突出部分に前記ゲート板が案内路を閉じるよう軸部をその軸芯の周りに付勢する付勢機構が設けられて成るパチンコ遊技機。
【請求項２】
前記付勢機構は、軸部の外周のゲート板と所定の角度をなす位置に配設された錘により構成されている請求項１に記載されたパチンコ遊技機。
【請求項３】
前記付勢機構は、軸部の外周に配設されたコイルバネにより構成されている請求項１に記載されたパチンコ遊技機。
【請求項４】
前記付勢機構は、中空体に形成された軸部の中空内部に配設された板バネにより構成されている請求項１に記載されたパチンコ遊技機。
【請求項５】
前記内ガイドレールの終端には、軸部の遊技領域の側の外周面に沿うカバー部が一体形成されている請求項１に記載されたパチンコ遊技機。
【請求項６】
前記取付基板は、外周縁が裾広がりのテーパ面に形成されている請求項１に記載されたパチンコ遊技機。
【請求項７】
前記取付基板は、盤面に形成された取付基板の厚みと一致する深さの凹部内に固定されている請求項１に記載されたパチンコ遊技機。
【請求項８】
前記取付基板には、内ガイドレールの終端部分が係入されて保持される溝が形成されている請求項１、６、７のいずれかに記載されたパチンコ遊技機。
【請求項９】
前記取付基板の上面には、ゲート板の側の軸部の端部を回動自由に支持する軸支部を有する立壁部が一体形成されている請求項１、６、７のいずれかに記載されたパチンコ遊技機。
【請求項１０】
請求項１〜９のいずれかに記載されたパチンコ遊技機であって、ゲート板が開閉動作する角度範囲を規制するストッパー機構がさらに設けられており、前記ストッパー機構は、取付基板の上面に形成された円弧状の溝と、ゲート板の下面に突設され前記溝に摺動自由に係合する突起体とで構成されているパチンコ遊技機。
【発明の詳細な説明】
【技術分野】
【０００１】
この発明は、発射装置から発射された遊技球が案内路より盤面上の遊技領域へ導かれて遊技が展開されるパチンコ遊技機に関し、この発明は特に、遊技領域から案内路へ遊技球が逆戻りするのを防止する球戻り防止機構が備えられたパチンコ遊技機に関する。
【背景技術】
【０００２】
典型的なパチンコ遊技機では、図１４に示すように、発射装置（図示せず）から発射された遊技球が内外のガイドレール１，１０間に形成された案内路１１を通って盤面上の遊技領域１２へ導かれるようになっている。遊技領域１２へ導かれた遊技球は盤面上の障害釘などに衝突しながら盤面を落下するが、遊技領域１２から案内路１１へ跳ね返った遊技球が逆戻りしないように、内側のガイドレール１の終端位置に球戻り防止機構８が設けられている。なお、図中、１３は球発射用のハンドル、１４は液晶ディスプレイを内蔵したセンター役物であり、盤面上の障害釘、入賞口、アウト口などの図示は省略してある。
【０００３】
前記の球戻り防止機構８として、例えば、図１５に示す構成のものがあり、ケース体８０の内部に、ゲート板８１が案内路１１を開閉するようにその基端部が回動自由に軸支されるとともに、軸支部８２を挟んでゲート板８１と反対側に、ゲート板８１が案内路１１を閉じるよう付勢する錘部８３が設けられている（例えば、特許文献１参照）。図中、１，１０は内外のガイドレールである。
【０００４】
この種の球戻り防止機構８では、ケース体８０が遊技領域へ大きく張り出すため、特に、盤面中央に大型の液晶ディスプレイを内蔵したセンター役物が配置されている場合、球戻り防止機構８とセンター役物との間の球通路が狭くなるため、障害釘を配置することの自由度が低下する。また、球戻り防止機構８とセンター役物との間の球通路が狭いと、球筋が限定されることになり、パチンコ遊技が単純となって興趣に欠けるものとなる。
【０００５】
上記の球戻り防止機構８は、軸支部８２を挟んでゲート板８１と反対側に錘部８３が長く突き出た構造であるため、ケース体８０の遊技領域への張り出し量が大きなものとなり、この種の構造の不都合を解消するため、図１６に示す構造の球戻り防止機構９が提案されている。図示の球戻り防止機構９は、軸支部９２を挟んでゲート板９１と反対側に基板部９３を短く突出させ、その基板部９３の先端から軸方向へ延設したロッド部（図示せず）を介して錘部９４を設け、錘部９４を遊技盤に形成した錘収容孔部９５に移動可能に収容したものである（例えば、特許文献２参照）。図中、１，１０は内外のガイドレールである。
【先行技術文献】
【特許文献】
【０００６】
【特許文献１】特許第３１６７６８３号公報
【特許文献２】特開２０１１−５０５６０号公報
【発明の概要】
【発明が解決しようとする課題】
【０００７】
この球戻り防止機構９では、基板部９３の突出長さは短いが、遊技領域を通過する遊技球が基板部９３に衝突すると、ゲート板９１が不測のタイミングで開くおそれがあるため、遊技領域の側を覆うカバー壁９６を設けることが不可欠であり、その分、球戻り防止機構９とセンター役物との間の通路幅が狭められ、障害釘を配置することの自由度が低下する。しかも、遊技盤の盤面には、錘部９４を移動可能に収容する錘収容孔部９５が開口するので、この開口部より遊技球に付着したゴミや埃が侵入し、錘部９４の動きを阻害するおそれがあり、メンテナンスを頻繁に行うことが必要となるなどの問題もある。
【０００８】
この発明は、上記の問題に着目してなされたもので、ゲート板の誤動作をなくすためのカバー壁を設ける必要がなく、球戻り防止機構とセンター役物との間の通路幅を十分に確保できて障害釘を配置することの自由度を低下させず、頻繁なメンテナンスを必要としないパチンコ遊技機を提供することを目的とする。
【課題を解決するための手段】
【０００９】
この発明によるパチンコ遊技機は、発射された遊技球を遊技盤の盤面上の遊技領域へ導くための外ガイドレールと、その内側に設けられた内ガイドレールとの間に案内路を有し、前記内ガイドレールの終端位置には、前記案内路を開閉するゲート板を有する球戻り防止機構を設けて、遊技領域から案内路へ遊技球が逆戻りするのを防止するようにしたものである。前記球戻り防止機構は、内ガイドレールの終端位置の盤面上に固定され遊技盤の板厚方向に貫通する軸支孔が形成された取付基板と、取付基板の前記軸支孔に回動自由に支持される軸部を有し取付基板上に突出した軸部の一端部側に前記ゲート板が一体形成されたゲート部材とを備えている。前記軸部の他端部側は、遊技盤内に形成された空間部分または遊技盤の背後に突出し、その突出部分に前記ゲート板が案内路を閉じるよう軸部をその軸芯の周りに付勢する付勢機構が設けられている。
【００１０】
上記した構成のパチンコ遊技機では、内ガイドレールの終端位置に球戻り防止機構が設けられているので、案内路より遊技領域へ至った遊技球は球戻り防止機構のゲート板によって遊技領域から案内路へ逆戻りするのが防止される。また、球戻り防止機構は、取付基板上にゲート板を一体に備えた軸部のみが露出する構成のものであるから、遊技領域の側を壁で覆う必要がなく、その分、球戻り防止機構とセンター役物との間の通路幅が広くなり、障害釘を配置することの自由度を低下させない。また、軸部に遊技球が衝突しても、それによってゲート板が誤動作するおそれはなく、遊技球が遊技領域から案内路へ逆戻りするのが確実に防止される。
【００１１】
上記の付勢機構として種々の態様のものが考えられるが、そのひとつの態様は、軸部の外周のゲート板と所定の角度をなす位置に配設された錘により構成されるものである。
【００１２】
また、付勢機構の他の態様は、軸部の外周に配設されたコイルバネにより構成されるものであり、さらに他の態様は、中空体に形成された軸部の中空内部に配設された板バネにより構成されるものである。
【００１３】
いずれの態様の付勢機構も、取付基板上に露出せず、遊技領域の側に壁を設ける必要がないので、球戻り防止機構とセンター役物との間の通路幅が狭められたり、遊技球の衝突による誤動作が発生したりするおそれがない。また、遊技球との接触により付勢機構に汚れが付着して性能の低下を招くことがなく、盤面の清掃時に作業員が付勢機構に接触することで性能に悪影響を及ぼしたりするおそれもない。
【００１４】
内ガイドレールは、必要に応じて、その終端に軸部の遊技領域の側の外周面に沿うカバー部を一体形成することが可能である。この実施態様によると、遊技領域を落下する遊技球が球戻り防止機構の軸部に勢いよく衝突するのが防止され、また、遊技球との接触により汚れが付着することもない。
【００１５】
この発明の上記した構成において、好ましくは、取付基板は外周縁が裾広がりのテーパ面に形成されるものである。この実施態様によると、遊技球はテーパ面により容易に取付基板上に乗り上がるので、たとえ取付基板に厚みを設けても、遊技球は取付基板によって円滑な動きが阻害されることはない。
【００１６】
他の好ましい実施態様においては、前記取付基板は盤面に形成された取付基板の厚みと一致する深さの凹部内に固定されている。
この実施態様によると、取付基板と盤面との間に段差が生じないので、取付基板によって遊技球の動きが影響されることはない。
【００１７】
この発明の好ましい実施態様においては、前記取付基板には、内ガイドレールの終端部分が係入されて保持される溝が形成されている。
この実施態様によれば、内ガイドレールの終端部分が溝に係入されて保持されるので、遊技球が衝突することによって内ガイドレールががたつくなどのおそれがなく、固定された状態が安定する。また、内ガードレールの終端部分を固定するための別の手段を設ける必要がなく、盤面の構造が複雑にならない。
【００１８】
ゲート部材の軸部は取付基板に形成された軸支孔に回動自由に支持されるものであるが、取付基板の上面にゲート板の側の軸部の端部を回動自由に支持する軸支部を有する立壁部を一体形成すれば、軸部は２点支持となり、軸部の回動が円滑となり、ゲート板の開閉動作が安定する。
【００１９】
この発明による好ましいパチンコ遊技機は、ゲート板が開閉動作する角度範囲を規制するストッパー機構がさらに設けられたものである。前記ストッパー機構は、取付基板の上面に形成された円弧状の溝と、ゲート板の下面に突設され前記溝に摺動自由に係合する突起体とで構成されている。
このパチンコ遊技機によると、ゲート板は付勢機構により付勢されて案内路を閉じた状態で定位し、遊技球の通過によりゲート板が押されたとき、一定の角度範囲だけ開動作して案内路が開かれるが、ゲート板が開閉動作するとき、突起体は溝中を摺動し、一方の溝端に達したとき、ゲート板が案内路を閉じた状態となり、他方の溝端に達したとき、ゲート板が案内路を開いた状態となる。
【発明の効果】
【００２０】
この発明によると、盤面の遊技領域の側にゲート板の誤動作を防ぐための壁を設ける必要がなく、球戻り防止機構とセンター役物との間の通路幅を十分に確保でき、障害釘を配置することの自由度を低下させることがない。また、盤面の球戻り防止機構の設置位置に遊技球に付着したゴミや埃が侵入する開口部が設けられていないので、付勢機構の動きが阻害されるおそれはなく、頻繁なメンテナンスを必要としない。
【図面の簡単な説明】
【００２１】
【図１】この発明の一実施例であるパチンコ遊技機の遊技盤の一部分を拡大して示す正面図である。
【図２】球戻り防止機構の構成を示す斜視図である。
【図３】球戻り防止機構の構成を示す正面図である。
【図４】球戻り防止機構の構成を示す側面図である。
【図５】球戻り防止機構の構成を示す背面図である。
【図６】球戻り防止機構の構成を示す断面図である。
【図７】球戻り防止機構の盤面への他の取付構造を示す断面図である。
【図８】球戻り防止機構の他の実施例の構成を示す断面図である。
【図９】付勢機構の他の実施例を示す断面図である。
【図１０】付勢機構のさらに他の実施例を示す断面図である。
【図１１】ガイドレールの他の実施例を示す正面図である。
【図１２】付勢機構の他の取付態様を示す断面図である。
【図１３】第２のゲート板が設けられた球戻り防止機構の構成を示す正面図である。
【図１４】典型的なパチンコ遊技機の構成を示す正面図である。
【図１５】従来の球戻り防止機構の構成を示す平面図である。
【図１６】従来の球戻り防止機構の構成を示す断面図である。
【発明を実施するための形態】
【００２２】
図１は、この発明の一実施例であるパチンコ遊技機において、遊技球Ｐが案内路１１より遊技領域１２へ導かれる状態を拡大して示している。図中、１４は液晶ディスプレイを内蔵したセンター役物、１５は遊技盤１６の盤面に打ち付けられた障害釘である。内外のガイドレール１，１０の間に形成された案内路１１は、全体が発射装置から上方に向かった先細形状をなし、その先端部付近がほぼ一定幅に形成されており、内ガイドレール１の終端位置に、案内路１１を開閉するゲート板６を備えた球戻り防止機構２が設けられている。ゲート板６は案内路１１から遊技領域１２への遊技球Ｐの通過は許容するが、遊技領域１２から案内路１１への遊技球Ｐの逆戻りを防止するものである。
【００２３】
この実施例の球戻り防止機構２は、図１〜図６に示すように、適当な厚みを有する合成樹脂製の取付基板３と前記ゲート板６を備えたゲート部材４とを有するものである。取付基板３は、内ガイドレール１の終端位置に２本のネジ３１，３１によって遊技盤１６の盤面上に取付け固定されている。取付基板３の外周縁は裾広がりのテーパ面３３に形成されている。このテーパ面３３は、取付基板３と盤面との間の段差を解消するために形成されているが、図７に示すように、盤面に取付基板３の厚みと一致する深さの凹部１７を設けて、その凹部１７内に取付基板３を嵌めて取付け固定すれば、取付基板３にテーパ面３３を形成する必要はない。
取付基板３には内ガイドレール１の終端部分が係入されるスリット状の溝３５が開設され、また、取付基板３の中央部分には板厚方向に貫通する円形の軸支孔３２が形成されている。この軸支孔３２は遊技盤１６の盤面に対して直交する。なお、図示していないが、前記溝３５の溝壁に突起、内ガイドレール１の終端部分に前記突起が係合する抜止め用の孔を形成するのが望ましい。
【００２４】
ゲート部材４は取付基板３の軸支孔３２に回動自由に支持される軸部５を有している。図示例の軸部５は、図６に示すように、金属製の軸芯部５０と、軸芯部５０の一端部側の外周面に被せられて公知の手段により一体に固着された筒状のボス部５１と、軸芯部５０の他端部側の外周面に被せられて公知の手段により回り止めされた上下各端が開口した筒状の鞘状部５２とで構成されている。鞘状部５２の上端部は小径部５３となっており、この小径部５３の端面はボス部５１の下端面に突き当てられている。軸芯部５０の下端部は鞘状部５２の下端の開口より突出し、その突出部分に抜止め用の止め輪５４が装着されている。前記小径部５３は取付基板３の軸支孔３２に回動自由に支持されるが、軸方向には移動不能である。
【００２５】
軸部５のボス部５１の外周面には、ボス部５１の全長にわたって矩形状のゲート板６が一体形成されている。なお、ボス部５１およびゲート板６はジュラコンなどの耐衝撃性や耐摩耗性に優れた合成樹脂材料により形成されている。ゲート板６は遊技盤１６の盤面に対して直角をなし、外周方向へ突出し、所定の角度範囲を正逆回動して開閉動作する。ゲート板６が開閉動作する角度範囲は、取付基板３とゲート部材４との間に設けられたストッパー機構２０（図３参照）により規制される。
【００２６】
図示例のストッパー機構２０は、取付基板３の上面に形成された円弧状の溝３４と、ゲート板６の下面に突設され溝３４に摺動自由に係合する突起体（図示せず）とで構成されている。ゲート板６は後述する付勢機構７により付勢された状態で案内路１１を閉じた状態で定位し、遊技球Ｐの通過時にゲート板６が押されたとき、前記の角度範囲だけ開動作して案内路１１が開かれるもので、ゲート板６が開閉動作するとき、前記の突起体が溝３４内を摺動し、一方の溝端に達したとき、ゲート板６が案内路１１を閉じた状態となり、他方の溝端に達したとき、ゲート板６が案内路１１を開いた状態となる。
【００２７】
軸部５の鞘状部５２は遊技盤１６内に形成された空間部分１８に突出しており、その突出した鞘状部５２にゲート板６が案内路１１を閉じるよう軸部５をその軸芯の周りに付勢する付勢機構７が設けられている。この実施例の付勢機構７は錘７０により構成されているが、これに限らず、後述する実施例のように、コイルバネや板バネを用いて構成することができる。
【００２８】
図示例の錘７０は、軸部５の鞘状部５２に対し、前記ボス部５１のゲート板６と所定の鈍角（１３０〜１４０度）をなす位置に、下面が開口した中空の筒体７１を一体形成するとともに、この筒体７１内に金属製のネジ７２をねじ込むことにより構成されている。錘７０の重量（筒体７１の重量とネジ７２の重量との和）をゲート板６の重量より大きく設定することで軸部５をその軸芯の周りに付勢し、ゲート板６が案内路１１に突き出るような回転モーメントを付与している。この実施例によれば、ネジ７２のねじ込みによって錘７０を簡単に構成でき、また、ネジ７２の選定により錘７０の重量を容易に調整できるという利点があるが、錘７０はこの実施例の構成に限られるものではない。
【００２９】
遊技盤１６に形成される空間部分１８は、軸部５の鞘状部５２および錘７０を収容しかつ回動を許容することが可能な広さを有しており、遊技盤１６にドリルによる穿孔加工を施すことにより形成されている。空間部分１８は遊技盤１６を貫通しており、表側の開口は取付基板３により塞がれ、裏面側の開口は蓋板１９により塞がれている。
【００３０】
上記の実施例では、軸部５は取付基板３の軸支孔３２に一点支持されているが、軸部５の回動を一層円滑にするために、図８に示す実施例のように、取付基板３の上面に立壁部３６を一体形成し、その立壁部３６の先端に軸部５の端部を回動自由に支持する軸支部３７を設けて、軸部５を２点支持するようにしてもよい。なお、図８において、３８は内ガイドレール１の終端部分が係入される溝であり、この溝３８は立壁部３６の端面に形成されている。また、図８に示す実施例では、軸支部３７および軸支孔３２は軸部５を構成する軸芯部５０を支持するように構成しているが、軸芯部５０に被せられる鞘状部５２やボス部５１を支持するように構成してもよい。
【００３１】
図９は、付勢機構７としてコイルバネ７３を用いた実施例を示している。コイルバネ７３は、軸部５の鞘状部５２の外周を周回するように設けられている。コイルバネ７３の一端７３ａは軸芯部５０に、他端７３ｂは取付基板３の下面に形成された穴に、それぞれ固定され、これにより軸部５をその軸芯の周りに一定方向に付勢している。図示していないが、取付基板３の下面の軸支孔３２の周囲に、コイルバネ７３の他端７３ｂを固定するための固定部分が複数設けてあり、いずれかの固定部分を選択することによりコイルバネ７３の荷重を変え、軸部５をその軸芯の周りに付勢する力を調整可能としている。
【００３２】
図１０は、付勢機構７として両端部にピン孔が設けられた短冊状の板バネ７４を用いた実施例を示している。板バネ７４は、中空体に形成された軸部５の中空内部に捻られた状態で配設されており、板バネ７４の一端７４ａが取付基板３の下面に一体形成された支持アーム３９の先端に、他端７４ｂがゲート板６の側の軸部５の端部に、それぞれピンなどで固定され、捩れ復元力により軸部５をその軸芯の周りに一定方向に付勢している。
【００３３】
上記の各実施例において、軸部５には遊技領域１２にて障害釘１５や図示しない返しゴムで跳ね返された遊技球Ｐが衝突するので、軸部５は衝突時の衝撃に耐え得る強度に設計されている。なお、軸部５を外力から保護するためのカバー壁を設ける必要はないが、球戻り防止機構２とセンター役物との間の球通路が狭くないような場合、図１１に示すように、内ガイドレール１の終端に軸部５の遊技領域１２の側の外周面に沿うカバー部１ａを一体形成して、軸部５に遊技球Ｐが衝突するのを避けるようにしてもよい。
【００３４】
また、上記の実施例では、軸部５を遊技盤１６内に形成された空間部分１８に突出させ、その突出部分に付勢機構７を設けているが、図１２に示すように、軸部５を遊技盤１６の背後に突出させ、その突出部分に付勢機構７を設けるようにしてもよい。この場合、遊技盤１６の背面にカバー体１００を取り付けて付勢機構７を覆うことが望ましい。図中、１０１は遊技球Ｐの通過個数を計数するための計数機構であり、カバー体１００の内面に取り付けられた光電センサ１０２と、錘７０を構成する筒体７１に一体形成され軸部５の回動に応じて光電センサ１０２の光路を横切る遮蔽板１０３とで構成される。
【００３５】
さらに、図１３に示した実施例のように、軸部５の周面のゲート板６と所定の角度をなす位置に、不正な遊技球の連射を防止するための第２のゲート板６０を一体形成することもできる。内ガイドレール１は軸部５の近傍位置まで延びており、前記の第２のゲート板６０は内ガイドレール１の先端部分と外ガイドレール１０との間の案内路１１内に位置している。この実施例によれば、不正な遊技球の連射防止の効果に加えて、第２のゲート板６０の存在により付勢機構７の錘７０の重量を軽減して小型化できるという利点がある。
【００３６】
上記した構成のパチンコ遊技機において、内ガイドレール１の終端位置に球戻り防止機構２が設けられているので、遊技球Ｐは内ガイドレール１の終端位置を通過するとき、案内路１１に突出するゲート板６を押し開き、案内路１１より遊技領域１２へ発射される。球戻り防止機構２の付勢機構７は、ゲート板６が閉じるよう軸部５をその軸芯の周りに付勢しているので、遊技球Ｐが球戻り防止機構２の位置を通過すると同時に、押し開かれたゲート６は閉動作して案内路１１を塞ぐ。このゲート板６の閉動作によって遊技球Ｐが遊技領域１２から案内路１１へ逆戻りするのが防止される。
【００３７】
球戻り防止機構２は、取付基板３上にゲート板６を一体に備えた軸部５のみが露出する構成のものであるから、遊技領域１２を落下する遊技球Ｐが球戻り防止機構２の軸部５などに衝突しても、それによって閉じたゲート板６が開くような誤動作は生じず、遊技球Ｐが遊技領域１２から案内路１１へ逆戻りするおそれはない。
【００３８】
盤面上には球戻り防止機構２の遊技領域１２の側を覆う壁が存在しておらず、その分、球戻り防止機構２とセンター役物１４との間の通路幅が広くなっているので、球筋が限定されることがないように盤面に障害釘１５が配置されており、パチンコ遊技が興趣に富んだものとなる。
【符号の説明】
【００３９】
１    内ガイドレール
２    球戻り防止機構
３    取付基板
４    ゲート部材
５    軸部
６    ゲート板
７    付勢機構
１０  外ガイドレール
１１  案内路
１２  遊技領域
１７  凹部
２０  ストッパー機構
３２  軸支孔
３３  テーパ面
３４  円弧状の溝
３５  溝
３６  突壁部
７０  錘
７３  コイルバネ
７４  板バネ
【図１】
2013052081.tif 000003
【図２】
2013052081.tif 000004
【図３】
2013052081.tif 000005
【図４】
2013052081.tif 000006
【図５】
2013052081.tif 000007
【図６】
2013052081.tif 000008
【図７】
2013052081.tif 000009
【図８】
2013052081.tif 000010
【図９】
2013052081.tif 000011
【図１０】
2013052081.tif 000012
【図１１】
2013052081.tif 000013
【図１２】
2013052081.tif 000014
【図１３】
2013052081.tif 000015
【図１４】
2013052081.tif 000016
【図１５】
2013052081.tif 000017
【図１６】
2013052081.tif 000018